(57)【要約】      （修正有）【課題】被計量物を貯留し、排出するホッパ及びこれを備えた組合せ秤に関し、ホッパ全体の取替えを不要とし、保守管理コストを低減したホッパ及び組合せ秤を提供する。【解決手段】ホッパ本体３１から対向するように延出された一対の支持部３３ｃ，３３ｄ間を連結する連結軸３７を、ゲート３２を開閉駆動する駆動部側に備えられた受け部に係合支持させるホッパであって、連結軸３７が、一対の支持部３３ｃ，３３ｄに対して着脱可能に取付けられている。連結軸３７が摩耗したときには、連結軸３７のみを取り替えるようにしている。【選択図】図７
0003200044.tif 000002
【実用新案登録請求の範囲】
【請求項１】
上下が開口されたホッパ本体と、該ホッパ本体の下部開口を開閉するゲートと、前記ホッパ本体から対向するように延出された一対の支持部とを有し、前記一対の支持部間を連結する連結軸を、前記ゲートを開閉駆動する駆動部側に備えられた受け部に係合支持させるホッパであって、
前記連結軸が、前記一対の支持部に対して着脱可能に取付けられる、
ことを特徴とするホッパ。
【請求項２】
前記連結軸の長さが、対向する一対の前記支持部間の間隔と同一寸法であり、各支持部の外側方から挿通した各ネジ部材が、連結軸の両端に形成した各ネジ孔にそれぞれねじ込まれて、前記連結軸が前記支持部に取付けられる、
請求項１に記載のホッパ。
【請求項３】
上下が開口されたホッパ本体と、該ホッパ本体の下部開口を開閉するゲートと、前記ホッパ本体から対向するように延出された一対の支持部とを有し、前記一対の支持部間を連結する連結軸を、前記ゲートを開閉駆動する駆動部側に備えられた受け部に係合支持させるホッパであって、
前記連結軸の前記受け部に係合する部分に、カラーが外周から着脱可能に装着される、
ことを特徴とするホッパ。
【請求項４】
前記カラーは、拡径変形可能な円弧状であり、前記カラーが、前記連結軸の外周に形成した環状溝に外周から嵌合されて装着される、
請求項３に記載のホッパ。
【請求項５】
前記環状溝に装着された前記カラーの外径が、前記連結軸の前記環状溝が形成されていない部分の外径と同径である、
請求項４に記載のホッパ。
【請求項６】
前記カラーは、一対の半割り部材からなる分割カラーであって、前記連結軸に外周から外嵌装着された前記半割り部材同士が、連結ネジで締め込み結合されて装着される、
請求項３に記載のホッパ。
【請求項７】
供給される被計量物を一時保持して排出する複数の組合せ用ホッパと、
前記複数の組合せ用ホッパの下方に配設され、組合せ演算によって選択された前記組合せ用ホッパから排出される被計量物が集合されて投入されると共に、投入された被計量物を一旦貯留した後、下方へ排出する集合ホッパとを備える組合せ秤であって、
前記集合ホッパが、前記請求項１ないし６のいずれかに記載のホッパである、
ことを特徴とする組合せ秤。
【考案の詳細な説明】
【技術分野】
【０００１】
本考案は、被計量物を貯留し、排出するホッパ、及び、これを備えた組合せ秤に関する。
【背景技術】
【０００２】
一般に組合せ秤は、供給される被計量物を分散フィーダによって放射状に分散搬送し、搬送された被計量物を、分散フィーダの周囲に配設された複数のリニアフィーダによって外方に向けて直線的に搬送し、各リニアフィーダの搬送終端にそれぞれ臨む複数の供給ホッパに供給する。各供給ホッパは、被計量物を一旦貯留し、ゲートを開放してその下方に位置する複数の計量ホッパに供給し、複数の計量ホッパで計量された被計量物の重量を種々に組合せた組合せ重量が、所定重量範囲となる計量ホッパの組合せを選択する組合せ演算を行う。この組合せ演算で選択した計量ホッパのゲートを開放して集合シュート等を介して被計量物を下方の包装装置等に排出する。
【０００３】
食品を計量処理する組合せ秤では、食品衛生上、定期的な洗浄作業が欠かせないものとなっている。また、食品の種類が変更される都度の洗浄作業も必要となる。そのため、組合せ秤においては、ホッパ類を、組合せ秤本体から簡易に取り外して洗浄できるようにしておくことが望まれる。
【０００４】
そこで、例えば、特許文献１の図３及び図４に示されているように、ホッパ本体１３から延出した一対のブラケット１４ａ間に亘って２本の軸１５，１６を連結し、これら両軸１５，１６を、組合せ秤本体側のホッパ取付け部材２６に係合支持することで、ホッパを、組合せ秤本体側のホッパ取付け部材２６に対して簡単に脱着できるようにしている。
【先行技術文献】
【特許文献】
【０００５】
【特許文献１】実開昭５９−５４８２６号公報
【考案の概要】
【考案が解決しようとする課題】
【０００６】
上記した一対の軸１５，１６は、ホッパ取付け部材２６に対する係合用部材であると共に、一対のブラケット１４を連結してブラケット１４の剛性を確保するステーとしても機能するものであって、ブラケット１４と軸１５，１６とは溶接固定されている。
【０００７】
ホッパ取付け部材２６と軸１５，１６との係合箇所には、ホッパ自体の重量とホッパに収納した被計量物の重量とが負荷荷重として作用するので、ゲート開閉作動等に伴う振動で係合箇所には微細な擦れが発生し、この擦れが原因で軸に局部的な摩耗が生じる。特に、計量速度が速く、ゲートの開閉を高速で行う場合には、その傾向が顕著となる。摩耗が大きくなると、ホッパの姿勢や位置が変化してしまい、計量精度に悪影響を及ぼしたり、ホッパに備えられたゲート開閉用のリンク機構と組合せ秤本体側の駆動機構との相対位置関係が変化し、ゲート開閉作動に支障が発生するおそれがある。
【０００８】
このような事態を回避するためには、ホッパ本体のブラケットに溶接固定された軸の摩耗が大きくなる前に、ホッパ全体を新しいものに取り替える必要があり、保守管理コストが高いものとなる。
【０００９】
本考案は、このような実情に着目してなされたものであって、ホッパ全体の取替えを不要とし、保守管理コストを低減することを目的とする。
【課題を解決するための手段】
【００１０】
上記目的を達成するために、本考案では次のように構成している。
【００１１】
（１）本考案に係るホッパは、上下が開口されたホッパ本体と、該ホッパ本体の下部開口を開閉するゲートと、前記ホッパ本体から対向するように延出された一対の支持部とを有し、前記一対の支持部間を連結する連結軸を、前記ゲートを開閉駆動する駆動部側に備えられた受け部に係合支持させるホッパであって、前記連結軸が、前記一対の支持部に対して着脱可能に取付けられる。
【００１２】
本考案に係るホッパによると、駆動部側に備えられた受け部に係合支持される連結軸は、ホッパ本体から延出された一対の支持部に対して着脱可能に取付けられているので、ゲートの開閉作動等に伴う振動によって、連結軸に局部的な摩耗が生じたときには、その摩耗が少ないうちに、連結軸を一対の支持部から取外して新しい連結軸に取り替えることができ、従来のようにホッパ全体を取り替える必要がなく、これによって、保守管理コストを低減することができる。
【００１３】
（２）本考案の好ましい実施態様では、前記連結軸の長さが、対向する一対の前記支持部間の間隔と同一寸法であり、各支持部の外側方から挿通した各ネジ部材が、連結軸の両端に形成した各ネジ孔にそれぞれねじ込まれて、前記連結軸が前記支持部に取付けられる。
【００１４】
この実施態様によると、ネジ孔が形成された連結軸の両端が、ボルト等のネジ部材によって一対の各支持部のそれぞれに強固に連結されることになり、連結軸は、駆動部側に備えられた受け部に係合支持させる部材であると共に、一対の支持部を連結して支持部の曲げ変形を阻止する補強部材としても機能する。
【００１５】
（３）本考案に係るホッパは、上下が開口されたホッパ本体と、該ホッパ本体の下部開口を開閉するゲートと、前記ホッパ本体から対向するように延出された一対の支持部とを有し、前記一対の支持部間を連結する連結軸を、前記ゲートを開閉駆動する駆動部側に備えられた受け部に係合支持させるホッパであって、前記連結軸の前記受け部に係合する部分に、カラーが外周から着脱可能に装着される。
【００１６】
本考案に係るホッパによると、連結軸の受け部に係合する部分には、カラーが着脱可能に装着されているので、ゲートの開閉作動等に伴う振動によって生じる摩耗は、カラーだけに生じることになり、その摩耗が少ないうちに、安価で軽小な部材であるカラーだけを取り替えればよく、従来のようにホッパ全体を取り替える必要がなく、保守管理コストの低減に有効である。
【００１７】
（４）本考案の好ましい実施態様では、前記カラーは、拡径変形可能な円弧状であり、前記カラーが、前記連結軸の外周に形成した環状溝に外周から嵌合されて装着される。
【００１８】
この実施態様によると、摩耗したカラーの取り外し、及び、新しいカラーの装着を簡単かつ速やかに行うことができ、メンテナンス時間を短くすることができる。
【００１９】
（５）上記（４）の実施態様では、前記環状溝に装着された前記カラーの外径を、前記連結軸の前記環状溝が形成されていない部分の外径と同径としてもよい。
【００２０】
この実施態様によると、環状溝に装着されたカラーの外径は、連結軸の外径と同径であるので、駆動部側に備えられた受け部は、その仕様を変更する必要がない。
【００２１】
（６）上記（３）の実施態様では、前記カラーを、一対の半割り部材からなる分割カラーとし、前記連結軸に外周から外嵌装着された前記半割り部材同士を、連結ネジで締め込み結合して装着してもよい。
【００２２】
この実施態様によると、分割カラーは強固に連結軸に固着されることになり、振動、等によって分割カラーが回動してしまうことがない。
【００２３】
（７）本考案に係る組合せ秤は、供給される被計量物を一時保持して排出する複数の組合せ用ホッパと、前記複数の組合せ用ホッパの下方に配設され、組合せ演算によって選択された前記組合せ用ホッパから排出される被計量物が集合されて投入されると共に、投入された被計量物を一旦貯留した後、下方へ排出する集合ホッパとを備える組合せ秤であって、
前記集合ホッパが、上記（１）ないし（６）のいずれかに記載のホッパである。
【００２４】
集合ホッパにおいては、ホッパ重量と組合せ計量された被計量物の重量とが、連結軸と受け部との係合箇所に大きい負荷荷重として作用し、かつ、集合ホッパは、他のホッパに比べて開閉作動の頻度が高いものである。したがって、受け部に係合支持される連結軸には、局部的な摩耗が発生しやすいものとなるが、本考案の組合せ秤によると、摩耗の少ないうちに、連結軸自体、あるいは、連結軸に装着したカラーを取り替えるだけでよく、従来のようにホッパ全体を取り替える必要がなく、保守管理コストを低減することができる。
【考案の効果】
【００２５】
このように、本考案によれば、摩耗が発生してもホッパ全体を取り替える必要がなく、保守管理コストを低減することができる。
【図面の簡単な説明】
【００２６】
【図１】図１は本発明の一実施形態に係る組合せ秤の概略構成を示す縦断正面図である。
【図２】図２は図１の組合せ秤の斜視図である。
【図３】図３は集合ホッパの取付け状態を示す斜視図である。
【図４】図４は集合ホッパの取付け状態を示す平面図である。
【図５】図５は集合ホッパの取付け状態を示す一部切欠き側面図である。
【図６】図６は集合ホッパの取り外し状態を示す斜視図である。
【図７】図７は集合ホッパにおける連結軸の取付け構造を示す斜視図である。
【図８】図８は図７の要部を示す一部切欠き正面図である。
【図９】図９は別実施形態の集合ホッパを示す斜視図である。
【図１０】図１０は図９の要部を示す一部切欠き正面図である。
【図１１】図１１は他の実施形態の集合ホッパを示す斜視図である。
【図１２】図１２は図１１の要部を示す一部切欠き正面図である。
【考案を実施するための形態】
【００２７】
以下、本考案の実施形態を図面に基づいて説明する。
【００２８】
図１は、本考案の一実施形態に係る組合せ秤の概略構成を示す縦断正面図であり、図２は図１の組合せ秤の斜視図である。
【００２９】
この実施形態の組合せ秤は、菓子類、その他の食品等の被計量物を所定量ずつ計量して、図示しない包装装置に投入して袋詰めする包装ライン等に利用される。
【００３０】
組合せ秤の中央には、図１に示すように中空柱形に形成されたセンター基体１が、中央部が大きく上下に貫通開口された矩形の基台２に、複数本の脚３を介して支持され、この基台２が床面Ｆに設置固定される。
【００３１】
センター基体１の上部には、供給装置４の終端から落下供給される被計量物を振動によって放射状に分散させる分散フィーダ５が装備されている。この分散フィーダ５の周囲には、分散搬送された被計量物を振動によって外方に向けて直進搬送する複数のリニアフィーダ６が放射状に設けられている。更に、センター基体１の外周部に、各リニアフィーダ６からの被計量物を一旦貯留して排出する供給ホッパ７、供給ホッパ７から排出された被計量物を貯留して重量を計測するための計量ホッパ８がそれぞれ配設されている。これらリニアフィーダ６、供給ホッパ７、及び、計量ホッパ８を一連とする多数連の計量モジュールによって、被計量物の計量、組合せ演算及び排出が行われる。
【００３２】
各計量ホッパ８には、個別に排出作動可能な内外一対の排出ゲート８ａ，８ｂが備えられて、計量した被計量物を内向き、あるいは、外向きに選択して排出することができるようになっている。この実施形態では、組合せ演算を行って被計量物を排出すべき計量ホッパ８の組合せを選択する。具体的には、組合せ用ホッパである各計量ホッパ８の被計量物の重量を種々に組合せ、その合計重量である組合せ重量が、目標組合せ重量に等しい、又は、目標組合せ重量に最も近い所定重量範囲となる計量ホッパ８の組合せを選択し、組合せに選択された計量ホッパ８の被計量物を、内向き又は外向きに交互に排出する。計量ホッパ８から内向きあるいは外向きに排出された被計量物が、内外二重に配備された集合シュート１０ａ，１０ｂによって組合せ秤１の中心下方に向けて集合案内される。
【００３３】
更に、集合シュート１０ａ，１０ｂの下方には、各集合シュート１０Ａ，１０Ｂから滑落した被計量物を集める２つの集合ファンネル１１Ａ，１１Ｂが配備されると共に、各集合ファンネル１１Ａ，１１Ｂの下端に、集められた被計量物を一旦受け止め貯留し、包装装置側からの排出要求指令に基づいて排出作動する一対の集合ホッパ１２Ａ，１２Ｂが配置されている。
【００３４】
供給装置４における排出口下方には、投入ファンネル１５が配備されると共に、その排出部からスリット付きの軟質樹脂シートを筒状に形成した飛散防止部材１６が垂下されている。投入ファンネル１５は、図２に示すように、センター基体１から立設した支柱１７を介して分散フィーダ５上方に固定配備された支持フレーム１８に連結支持されている。
【００３５】
分散フィーダ５は、図１に示すように、円錐形の分散トレイ１９と、これを振動駆動する電磁式の加振機構２０とを備えている。加振機構２０は、センター基体１の内部に配備されたフレーム板２１の中央に設置されている。なお、加振機構２０は、重量センサ２２を介してフレーム板２１上に支持されており、分散フィーダ５上の被計量物の重量が重量センサ２２で検知される。検知された情報は、図示しない制御装置に与えられ、制御装置は、その検知情報に基づいて、供給装置４をオン/オフ制御して、分散フィーダ５上に常に設定範囲内の重量の被計量物が供給されるようになっている。
【００３６】
リニアフィーダ６は、内外方向に向かう樋形の搬送トラフ（フィーダパン）２３とこれを振動駆動する電磁式の加振機構２４とを備えている。加振機構２４が、分散フィーダ５の加振機構２０をとり囲むようにフレーム板２１上に配置されている。
【００３７】
センター基体１の外周部には、供給ホッパ７及び計量ホッパ８のゲート開閉用のモータ（図示せず）及び、計量ホッパ８内の被計量物の重量を計測する重量センサ（図示せず）等を組み込んだ駆動ユニット２５が配設され、この駆動ユニット２５の外方露出箇所に、供給ホッパ７及び計量ホッパ８がフック方式で脱着可能に装着支持される。また、基台２から下方に延出された支持フレーム２６に、ゲートと開閉用のモータを組み込んだ駆動ユニット２７が装着されており、この駆動ユニット２７に一対の集合ホッパ１２Ａ，１２Ｂがそれぞれ脱着可能に係合支持されている。
【００３８】
次に、集合ホッパ１２Ａ，１２Ｂを駆動ユニット２７に並べて脱着可能に係合支持する取付け構造について説明する。
【００３９】
図３は集合ホッパ１２Ａ，１２Ｂの取付け状態を示す斜視図であり、図４は集合ホッパ１２Ａ，１２Ｂの取付け状態を示す平面図であり、図５は集合ホッパ１２Ａの取付け状態を示す一部切欠き側面図であり、図６は集合ホッパ１２Ａの取り外し状態を示す斜視図である。なお、以降、説明の便宜上、集合ホッパ１２Ａ，１２Ｂの並列方向を左右方向、これと水平に直交する方向を前後方向と呼称する。
【００４０】
両集合ホッパ１２Ａ，１２Ｂは、左右対称に構成されており、両集合ホッパ１２Ａ，１２Ｂは、上下が開口された筒形のホッパ本体３１と、このホッパ本体３１の下部開口を揺動開閉するゲート３２とを備えている。ホッパ本体３１の四周には、これを前後及び左右から囲うように厚板材からなる支持枠３３ａ，３３ｂ，３３ｃ，３３ｄが溶接固定されている。
【００４１】
前後の支持枠３３ａ，３３ｂには、ゲート３２が前後向きの支点ａ周りに揺動可能に軸支されている。
【００４２】
後側の支持枠３３ｂには、図７の斜視図に示されるように、該支持枠３３ｂに支点ｂ周りに回動可能に軸支された操作アーム３５と、この操作アーム３５とゲート３２とを連動連結する連係リンク３６とを有するゲート開閉用のリンク機構３４が装備されている。リンク機構３４の操作アーム３５を正逆に回動することで、ゲート３２を揺動開閉作動させるようになっている。
【００４３】
再び図３〜図６を参照して、対向する一対の支持部としての左右の支持枠３３ｃ，３３ｄは、後方及び下方に向けて逆Ｌ字形に延出されており、その延出部位の上下二箇所に、左右の支持枠３３ｃ，３３ｄ同士を繋ぐ連結軸３７が連結されている。
【００４４】
他方、集合ホッパ１２Ａ，１２Ｂを係合支持する駆動ユニット２７の前面には、集合ホッパ支持用の連結枠３８が左右に並列して取付けられている。
【００４５】
連結枠３８は、厚板材を平面視で前向きコの字形に屈折して構成されており、その左右から前向きに延出された一対の側辺部３８ａの上部と下部に、前記支持枠３３ｃ，３３ｄに連結された上下の連結軸３７に対する受け部３９ａ，３９ｂがそれぞれ形成されている。
【００４６】
上側の受け部３９ａは、図５に示すように、上方の連結軸３７を載置して後方から当接支持する上向きの段部として形成され、また、下側の受け部３９ｂは、下方の連結軸３７を後方から当接支持する下向きの段部として形成されている。
【００４７】
また、連結枠３８における左右の側辺部３８ａの上部には、支軸４１が回動自在に貫通支持されている。この支軸４１には、前方に向かう左右一対のロックアーム４２が固着されると共に、ロックアーム４２を下方に回動付勢するねじりバネ４３が、支軸４１に外嵌装着されている。
【００４８】
ロックアーム４２は、上側の受け部３９ａに係合支持された連結軸３７に上方から付勢係合して、連結軸３７が受け部３９ａから離脱するのを阻止する。なお、支軸４１の外方一端部には、解除レバー４４が固着されており、この解除レバー４４を上方に持上げ操作して支軸４１を回動させることで、ロックアーム４２を回動付勢力に抗して上方（ロック解除方向）に回動させることができるようになっている。
【００４９】
また、連結枠３８における左右の側辺部３８ａの外幅が、左右の支持枠３３ｃ，３３ｄの内幅に相当する寸法に設定されると共に、左右の側辺部３８ａの上部及び下部から内向きに傾斜するガイド片３８ｂ，３８ｃが、斜め前方に向けて延出されている。従って、取り外された集合ホッパ１２Ａ，１２Ｂを、連結枠３８に前方から近づけ、上方の連結軸３７を連結枠３８のガイド片３８ｂの載せつけた状態で押し進めてゆくと、左右の支持枠３３ｃ，３３ｄがガイド片３８ｂ，３８ｃで案内されて、連結枠３８における左右の側辺部３８ａの外側に導かれる。この時、自由姿勢にあるロックアーム４２の先端傾斜部が、上方の連結軸３７の移動径路中にあり、後方へ移動する連結軸３７との当接によってロックアーム４２が回動付勢力に抗して押し上げ回動される。
【００５０】
そして、左右の支持枠３３ｃ，３３ｄが、連結枠３８における左右の側辺部３８ａを外側から抱き込むように嵌合され、かつ、上下の連結軸３７が、それぞれ上下の受け部３９ａ，３９ｂに正しく受止め係合されると、ロックアーム４２は、回動付勢力によって下方に回動し、上方の連結軸３７に係合したロック状態がもたらされる。つまり、ホッパの係合に伴ってセルフロックが掛かることになる。
【００５１】
なお、連結枠３８の前部には、図６に示すように、駆動ユニット２７に内装したモータに連動連結された駆動アーム４５が、前後向き軸心ｃを中心に正逆回動可能に装備されている。上記のように集合ホッパ１２Ａ，１２Ｂが連結枠３８に前方から係合されることに伴って、図７に示されるゲート閉じ状態にある上記操作アーム３５の係合凹部３５ａと、待機状態にある駆動アーム４５の遊端ローラ４５ａとが係合し、操作アーム３５が駆動アーム４５に連動連結された状態になる。
【００５２】
連結枠３８から集合ホッパ１２Ａ，１２Ｂを取り外す際には、解除レバー４４を上方回動操作してロックアーム４２を回動付勢力に抗して強制的に上方回動し、連結軸３７に対するロックを解除した状態を維持したまま集合ホッパ１２Ａ，１２Ｂｂを前方に引き出して連結枠３８から取り外すことができる。
【００５３】
集合ホッパ１２Ａ，１２Ｂを、駆動部側である駆動ユニット２７の連結枠３８に係合支持させた状態では、ホッパ重量と収納された被計量物の重量とが、上側の連結軸３７と受け部３９ａとに負荷荷重として作用すると共に、上側の連結軸３７を中心とする下向きのホッパ回動力が、下側の連結軸３７と受け部３９ｂとに負荷荷重として作用する。このように、負荷荷重が作用した状態で運転されると、ゲート開閉作動時に発生する振動、等によって連結軸３７と受け部３９ａ，３９ｂとの接触箇所に微細な擦れが生じ、連結軸３７に局部的な摩耗が発生する。
【００５４】
本実施形態では、摩耗が生じた連結軸３７のみの取替えができるように以下のように構成されている。
【００５５】
すなわち、図７，図８に示すように、連結軸３７の長さを、左右の支持枠３３ｃ，３３ｄの内幅と同じ寸法にすると共に、連結軸３７の両端にネジ孔３７ａを形成する。支持枠３３ｃ，３３ｄには、連結軸３７の径より小径の透孔４６を形成し、外側方から透孔４６に挿入したネジ部材としてのボルト４７を、連結軸３７の両端にねじ込んで締め上げることで、連結軸３７で支持枠３３ｃ，３３ｄを連結することができる。この場合、連結軸３７は、ホッパ取付け用の連結部材であると共に、支持枠３３ｃ，３３ｄ同士を強固に連結して、その剛性を確保するステーとしての機能をも発揮する。
【００５６】
そして、連結軸３７の端部近くの外周部が、受け部３９ａ，３９ｂとの擦れによってある程度摩耗すると、ボルト４７を取り外して新しい連結軸３７に取り替える。
【００５７】
集合ホッパ１２Ａ，１２Ｂでは、ホッパ重量と組合せ計量された被計量物の重量とが、連結軸３７と受け部３９ａ，３９ｂとの係合箇所に大きい負荷荷重として作用し、かつ、集合ホッパ１２Ａ，１２Ｂは、供給ホッパ７等に比べて開閉作動の頻度が高いものである。したがって、受け部３９ａ，３９ｂに係合支持される連結軸３７には、局部的な摩耗が発生しやすいものとなる。
【００５８】
本実施形態によれば、摩耗の少ないうちに、ボルト４７を取り外して摩耗した連結軸３７を、新しい連結軸３７に交換する。これによって、従来のように、ホッパ全体を新しいものに取り替える必要がなく、保守管理コストを低減することができる。
【００５９】
［他の実施形態］
本考案は、以下のような形態で実施することもできる。
【００６０】
（１）図９，図１０に示すように、左右の支持枠３３ｃ，３３ｄに亘って溶接固定した連結軸３７の、受け部３９ａ，３９ｂに対する係合箇所に環状溝３７ｂを形成すると共に、拡径可能な円弧状、具体的には半円より大きい優弧状のステンレス等からなるカラー５０を、環状溝３７ｂに外周から圧入嵌着した形態で実施することもできる。これによると、受け部３９ａ，３９ｂとの摩擦によって摩耗したカラー５０だけを取り替えればよい。
【００６１】
この場合、カラー５０の外径を、連結軸３７の外径と一致させており、連結枠３８における受け部３９ａ，３９ｂは、連結軸３３を直接に係合支持していた仕様と同じでよい。
【００６２】
（２）図１１，図１２に示すように、左右の支持枠３３ｃ，３３ｄに亘って溶接固定した連結軸３７の、受け部３９ａ，３９ｂに対する係合箇所に、一対の半割り部材５１ａ，５１ｂからなる二つ割りの分割カラー５１を外周から外嵌装着し、半割り部材５１ａ，５１ｂ同士を連結ネジ５２で締め込み接近させて、分割カラー５１を連結軸３７に締め込み固定する形態で実施することもできる。この場合も、受け部３９ａ，３９ｂとの摩擦によって摩耗した分割カラー５１を取り替えるだけですむ。
【００６３】
ただし、この実施形態の場合、受け部３９ａ，３９ｂに対する係合箇所が大径となるので、これに対応して受け部３９ａ，３９ｂの仕様を変更する必要がある。
【００６４】
（３）上記実施形態では、集合ホッパ１２Ａ，１２Ｂについて説明したが、供給ホッパ７や計量ホッパ８に本考案を適用することもできる。また、計量ホッパ８の下方に配設されて、計量ホッパ８からの被計量物を貯留して排出する組合せ用ホッパとしてメモリホッパを備える場合には、このメモリホッパに本考案を適用してもよい。
【符号の説明】
【００６５】
５              分散フィーダ
６              リニアフィーダ
７              供給ホッパ
８              計量ホッパ
１２Ａ，１２Ｂ  集合ホッパ
２７            駆動ユニット
３１            ホッパ本体
３２            ゲート
３３ｃ          支持枠
３３ｄ          支持枠
３７            連結軸
３７ｂ          環状溝
３８            連結枠
３９ａ          受け部
３９ｂ          受け部
４７            ボルト
５０            カラー
５１            分割カラー
５１ａ          半割り部材
５１ｂ          半割り部材
５２            連結ネジ
【図１】
0003200044.tif 000003
【図２】
0003200044.tif 000004
【図３】
0003200044.tif 000005
【図４】
0003200044.tif 000006
【図５】
0003200044.tif 000007
【図６】
0003200044.tif 000008
【図７】
0003200044.tif 000009
【図８】
0003200044.tif 000010
【図９】
0003200044.tif 000011
【図１０】
0003200044.tif 000012
【図１１】
0003200044.tif 000013
【図１２】
0003200044.tif 000014